(57)【要約】【課題】パネルを組み立てる際の作業性を向上させることができるパネル構造体を提供すること。【解決手段】建設現場の落下防止用又は防音用のパネルとして使用されるパネル構造体は、互いに上下に配列される複数枚のパネルと、パネルの周縁を囲むように各パネルに取り付けられる枠体と、を備え、各枠体は、上下に対向する上枠および下枠と、左右に対向する左枠および右枠とを備え、上枠と下枠のそれぞれは、上下に隣接するパネルの枠体に嵌合する凹凸を形成する。【選択図】図１
2020125659.tif 000002
【特許請求の範囲】
【請求項１】
建設現場の落下防止用又は防音用のパネルとして使用されるパネル構造体であって、
互いに上下に配列される複数枚のパネルと、
パネルの周縁を囲むように各パネルに取り付けられる枠体と、を備え、
各枠体は、上下に対向する上枠および下枠と、左右に対向する左枠および右枠とを備え、
上枠と下枠のそれぞれは、上下に隣接するパネルの枠体に嵌合する凹凸を形成する、パネル構造体。
【請求項２】
各パネルは、枠体内で左右に並べて配置される一対の小パネルと、一対の小パネル同士の間で小パネルと平行に配置される板状の部材であって、一対の小パネルを受ける溝部を側辺に形成する仕切板とを有する、請求項１に記載のパネル構造体。
【請求項３】
上枠と下枠のそれぞれの内側には、小パネルをスライド可能に受ける溝部が形成されており、
仕切板は、上枠および下枠の各溝部よりも大きな厚みを有し、上枠と下枠の間に配置される、請求項２に記載のパネル構造体。
【請求項４】
仕切板には、長手方向に貫通する貫通孔が形成されており、
仕切板の貫通孔に挿入可能、かつ、仕切板の長さよりも長い挿入板をさらに備え、
挿入板は、上枠および下枠の各溝部と同じ又は小さな厚みを有し、上枠と下枠の各溝部にスライド可能に配置される、請求項３に記載のパネル構造体。
【請求項５】
仕切板に取り付けられた単クランプをさらに備え、
当該単クランプは、水平単管を把持するための単クランプである、請求項２から４のいずれか１つに記載のパネル構造体。
【請求項６】
左枠と右枠のそれぞれの内側には、小パネルの側辺を受ける溝部が形成されている、請求項１から５のいずれか１つに記載のパネル構造体。
【請求項７】
複数枚のパネルは互いに横方向に並べて配置され、
横方向に隣接するパネル同士の左枠と右枠を互いに接続するための接続板をさらに備え、
各パネルの左枠と右枠のそれぞれの外側には、接続板の側辺を長手方向に挿入可能な凹部が形成されている、請求項１から６のいずれか１つに記載のパネル構造体。
【請求項８】
左枠と右枠に形成された外側の凹部は、横断面が円形である円柱空間を有し、
各接続板の側辺は、横断面が円形で左枠と右枠のそれぞれの凹部の円柱空間に挿入可能な一対の挿入部を備える、請求項７に記載のパネル構造体。
【請求項９】
接続板に取り付けられた単クランプをさらに備え、
当該単クランプは、鉛直単管を把持するための単クランプである、請求項７又は８に記載のパネル構造体。
【発明の詳細な説明】
【技術分野】
【０００１】
本開示は、建設現場の落下防止用又は防音用のパネルとして使用されるパネル構造体に関する。
【背景技術】
【０００２】
従来より、建設現場の落下防止用のパネルとして使用されるパネル構造体が提案されている（例えば、特許文献１）。
【０００３】
特許文献１で提案されるパネル構造体は、建設現場の足場に対して斜め上方に突出するように設置されて落下物を受け止めるための朝顔ユニットである。
【先行技術文献】
【特許文献】
【０００４】
【特許文献１】特開２０１８−７１２９８号公報
【発明の概要】
【発明が解決しようとする課題】
【０００５】
昨今では、建設現場での作業性を向上させることが求められている。特許文献１に開示されるようなパネル構造体を含めて、パネルを組み立てる際の作業性を向上させることができる技術の開発が求められている。
【０００６】
従って、本開示の目的は、パネルを組み立てる際の作業性を向上させることができるパネル構造体を提供することにある。
【課題を解決するための手段】
【０００７】
上記目的を達成するために、本開示は以下のように構成する。
【０００８】
本開示の一態様によれば、建設現場の落下防止用又は防音用のパネルとして使用されるパネル構造体であって、互いに上下に配列される複数枚のパネルと、パネルの周縁を囲むように各パネルに取り付けられる枠体と、を備え、各枠体は、上下に対向する上枠および下枠と、左右に対向する左枠および右枠とを備え、上枠と下枠のそれぞれは、上下に隣接するパネルの枠体に嵌合する凹凸を形成するパネル構造体を提供する。
【発明の効果】
【０００９】
本開示のパネル構造体によれば、パネルを組み立てる際の作業性を向上させることができる。
【図面の簡単な説明】
【００１０】
【図１】実施形態におけるパネル構造体の外観図
【図２】実施形態におけるパネル構造体の外観図
【図３】実施形態におけるパネルの正面図
【図４】実施形態における上枠と下枠の縦断面図
【図５】実施形態における左枠と右枠の横断面図
【図６】（ａ）実施形態における仕切板の正面図、（ｂ）仕切板の背面図
【図７】実施形態における仕切板の横断面図
【図８】（ａ）実施形態における挿入板の正面図、（ｂ）挿入板を仕切板に挿入した状態の背面図
【図９】実施形態における仕切板に挿入板、小パネルおよび単クランプを配置した状態の平面図
【図１０】（ａ）実施形態における接続板の正面図、（ｂ）接続板の背面図
【図１１】実施形態における接続板、接続板に取り付けられる左枠および右枠、単クランプを示す平面図
【図１２】実施形態におけるパネル構造体の設置方法を示すフローチャート
【図１３Ａ】実施形態におけるパネル構造体を組み立てる順序を示す概略正面図
【図１３Ｂ】実施形態におけるパネル構造体を組み立てる順序を示す概略正面図
【図１３Ｃ】実施形態におけるパネル構造体を組み立てる順序を示す概略正面図
【図１３Ｄ】実施形態におけるパネル構造体を組み立てる順序を示す概略正面図
【図１３Ｅ】実施形態におけるパネル構造体を組み立てる順序を示す概略正面図
【図１３Ｆ】実施形態におけるパネル構造体を組み立てる順序を示す概略正面図
【図１３Ｇ】実施形態におけるパネル構造体を組み立てる順序を示す概略正面図
【発明を実施するための形態】
【００１１】
本開示の第１態様によれば、建設現場の落下防止用又は防音用のパネルとして使用されるパネル構造体であって、互いに上下に配列される複数枚のパネルと、パネルの周縁を囲むように各パネルに取り付けられる枠体と、を備え、各枠体は、上下に対向する上枠および下枠と、左右に対向する左枠および右枠とを備え、上枠と下枠のそれぞれは、上下に隣接するパネルの枠体に嵌合する凹凸を形成する、パネル構造体を提供する。
【００１２】
本開示の第２態様によれば、各パネルは、枠体内で左右に並べて配置される一対の小パネルと、一対の小パネル同士の間で小パネルと平行に配置される板状の部材であって、一対の小パネルを受ける溝部を側辺に形成する仕切板とを有する、第１態様に記載のパネル構造体を提供する。
【００１３】
本開示の第３態様によれば、上枠と下枠のそれぞれの内側には、小パネルをスライド可能に受ける溝部が形成されており、仕切板は、上枠および下枠の各溝部よりも大きな厚みを有し、上枠と下枠の間に配置される、第２態様に記載のパネル構造体を提供する。
【００１４】
本開示の第４態様によれば、仕切板には、長手方向に貫通する貫通孔が形成されており、仕切板の貫通孔に挿入可能、かつ、仕切板の長さよりも長い挿入板をさらに備え、挿入板は、上枠および下枠の各溝部と同じ又は小さな厚みを有し、上枠と下枠の各溝部にスライド可能に配置される、第３態様に記載のパネル構造体を提供する。
【００１５】
本開示の第５態様によれば、仕切板に取り付けられた単クランプをさらに備え、当該単クランプは、水平単管を把持するための単クランプである、第２態様から第４態様のいずれか１つに記載のパネル構造体を提供する。
【００１６】
本開示の第６態様によれば、左枠と右枠のそれぞれの内側には、小パネルの側辺を受ける溝部が形成されている、第１態様から第５態様のいずれか１つに記載のパネル構造体を提供する。
【００１７】
本開示の第７態様によれば、複数枚のパネルは互いに横方向に並べて配置され、横方向に隣接するパネル同士の左枠と右枠を互いに接続するための接続板をさらに備え、各パネルの左枠と右枠のそれぞれの外側には、接続板の側辺を長手方向に挿入可能な凹部が形成されている、第１態様から第６様のいずれか１つに記載のパネル構造体を提供する。
【００１８】
本開示の第８態様によれば、左枠と右枠に形成された外側の凹部は、横断面が円形である円柱空間を有し、各接続板の側辺は、横断面が円形で左枠と右枠のそれぞれの凹部の円柱空間に挿入可能な一対の挿入部を備える、第７様に記載のパネル構造体を提供する。
【００１９】
本開示の第９態様によれば、接続板に取り付けられた単クランプをさらに備え、当該単クランプは、鉛直単管を把持するための単クランプである、第７態様又は第８態様に記載のパネル構造体を提供する。
【００２０】
以下、本発明のパネル構造体に係る実施形態について、添付の図面を参照しながら説明する。なお、本発明のパネル構造体は、以下の実施形態に記載した構成に限定されるものではない。
【００２１】
（実施形態）
図１、図２はそれぞれ、実施形態におけるパネル構造体２の外観図を示す。
【００２２】
図１に示すパネル構造体２は、複数枚のパネル４を上下・左右に並べたパネル構造体である。実施形態のパネル構造体２は特に、建設現場の吊り足場における落下防止用、防音用のパネルとして使用される。図１に示すパネル構造体２は、吊り足場を構成する水平単管６および鉛直単管８に複数枚のパネル４を取り付けて構成される。図２では、パネル４を水平単管６に固定している複数の単クランプ３６、並びに、パネル４を鉛直単管８に固定している複数の単クランプ５２が示されている。単クランプ３６、５２については後述する。
【００２３】
各パネル４の構成について、図３を用いて説明する。図３は、１枚のパネル４の正面図である。
【００２４】
図３に示す１枚のパネル４は、一対の小パネル１０と、枠体１２と、仕切板１４と、接続板１６と、固定部材１７とを備える。
【００２５】
小パネル１０は、枠体１２内に配置される一対のパネルである。枠体１２の内側において２枚の小パネル１０が横方向Ｐ（すなわち水平方向）に並べて配置される。それぞれの小パネル１０は、平面視で矩形状の板状部材である。実施形態では、一対の小パネル１０として同寸法および同形状のパネルが用いられる。
【００２６】
枠体１２は、一対の小パネル１０を内側に配置してパネル４の外枠を構成する部材である。枠体１２は、上枠１８と、下枠２０と、左枠２２と、右枠２４とを備える。
【００２７】
上枠１８および下枠２０は、上下に対向する一対の枠部材である。同様に、左枠２２および右枠２４は、左右に対向する一対の枠部材である。
【００２８】
上枠１８と下枠２０の縦断面図を図４に示す。
【００２９】
図４に示すように、上枠１８と下枠２０のそれぞれの内側部分はＥ字型の断面を有する。Ｅ字断面を形成することにより、コの字型の断面と比較して強度を向上させることができる。Ｅ字断面を有する上枠１８は２ヶ所の溝部１８Ａ、１８Ｂを形成し、下枠２０も２ヶ所の溝部２０Ａ、２０Ｂを形成する。溝部１８Ａ、２０Ａが上下に対向し、溝部１８Ｂ、２０Ｂが上下に対向する。本実施形態では、溝部１８Ａと溝部２０Ａに小パネル１０が配置される。図４では、上枠１８と下枠２０の間に配置される小パネル１０が点線で示される。小パネル１０は、溝部１８Ａ、２０Ａの中を横方向Ｐ（図３）にスライドさせて配置される。小パネル１０の配置方法については後述する。一方で、溝部１８Ｂ、２０Ｂには小パネル１０は配置されない。
【００３０】
さらに、上枠１８と下枠２０の外側にはそれぞれ、凹凸１８Ｃ、凹凸２０Ｃが形成される。凹凸１８Ｃは上方に突出し、凹凸２０Ｃは下方に突出する。凹凸１８Ｃ、２０Ｃがそれぞれ突出する位置は前後方向Ｘの異なる位置であるため、互いに上下に嵌合可能である。凹凸１８Ｃ、２０Ｃを上下に嵌合させることにより、複数枚のパネル４を上下に並べて位置決めしながら配置することができる。
【００３１】
次に、図３に示した左枠２２と右枠２４の横断面図を図５に示す。
【００３２】
図５に示すように、左枠２２と右枠２４のそれぞれの内側部分はＥ字型の断面を有する。Ｅ字断面を有する左枠２２は２ヶ所の溝部２２Ａ、２２Ｂを形成し、右枠２４も２ヶ所の溝部２４Ａ、２４Ｂを形成する。溝部２２Ａ、２４Ａが左右に対向し、溝部２２Ｂ、２４Ｂが左右に対向する。本実施形態では、溝部２２Ａ、２４Ａには小パネル１０が配置され、溝部２２Ｂ、２４Ｂには小パネル１０は配置されない。図５では、２枚の小パネル１０が点線で示される。
【００３３】
左枠２２と右枠２４の外側にはそれぞれ、凹部２２Ｃ、２４Ｃが形成されている。凹部２２Ｃ、２４Ｃはそれぞれ、図３に示した接続板１６を長手方向Ａに挿入して配置するための凹部である。図５に示す凹部２２Ｃ、２４Ｃはそれぞれ横断面が円形であり、円柱形状を有する。
【００３４】
図３に戻ると、一対の小パネル１０の間には仕切板１４が配置される。仕切板１４は、一対の小パネル１０を互いに仕切る板状の部材である。仕切板１４の構成について、図６、図７を用いて説明する。
【００３５】
図６（ａ）は、仕切板１４の正面図であり、図６（ｂ）は、仕切板１４の背面図である。図７は、仕切板１４の横断面図である。
【００３６】
図７に示すように、仕切板１４の両側の側辺には溝部２８が形成されている。溝部２８は、一対の小パネル１０を配置するための空間である。溝部２８は、「パネル取付溝」と称してもよい。溝部２８は、仕切板１４の長手方向Ａに沿って延在している。両側の溝部２８に小パネル１０をそれぞれ配置することにより、２枚の小パネル１０を仕切りつつ、前後方向Ｘの移動を規制して位置決めすることができる。
【００３７】
さらに、仕切板１４の正面側には別の溝部３０が形成されている。溝部３０は、後述する単クランプ３６（図９）を取り付けるための空間である。溝部３０は、「単クランプ取付溝」と称してもよい。溝部３０は、溝部２８と同様に仕切板１４の長手方向Ａに沿って延在する。溝部３０に単クランプ３６を取り付けて固定し、単クランプ３６によって吊り足場に設置された単管を把持する。これにより、仕切板１４を介してパネル４を吊り足場に固定することができる。
【００３８】
さらに、仕切板１４の中央部には長手方向Ａに貫通する貫通孔３２が形成されている。貫通孔３２は、後述する挿入板３４を長手方向Ａに挿入するための孔である。
【００３９】
挿入板３４の構成について、図８、図９を用いて説明する。図８（ａ）は、挿入板３４の正面図であり、図８（ｂ）は、挿入板３４を仕切板１４に挿入した状態の背面図である。図９は、仕切板１４に挿入板３４、２枚の小パネル１０および単クランプ３６を配置した状態の平面図である。
【００４０】
図８、図９に示すように、挿入板３４は、正面視で矩形状の板状部材である。図８（ｂ）および図９に示すように、挿入板３４は、仕切板１４の貫通孔３２に挿入される。
【００４１】
図８（ｂ）に示すように、長手方向Ａの長さに関して、仕切板１４の長さＤ１よりも挿入板３４の長さＤ２の方が長くなるように設計されている。図９に示すように、前後方向Ｘの厚みに関して、挿入板３４の厚みＤ５は、小パネル１０の厚みＤ５と同じに設計されている。
【００４２】
図３に戻ると、上枠１８と下枠２０は、上下方向に間隔Ｄ３を空けて固定されている。間隔Ｄ３は、前述した仕切板１４の長さＤ１よりも長く、挿入板３４の長さＤ２よりも短く設計されている。
【００４３】
仕切板１４は、図７に示すように前後方向Ｘに所定の厚みＤ４を有している。厚みＤ４は、上枠１８、下枠２０の溝部１８Ａ、２０Ａよりも大きく設計されている。よって、仕切板１４を溝部１８Ａ、２０Ａに配置することはできず、仕切板１４は上枠１８と下枠２０の間に配置される。一方で、図９に示す挿入板３４の厚みＤ５は、上枠１８、下枠２０の溝部１８Ａ、２０Ａの厚みと同じ又は小さく設計されている。このため、挿入板３４を溝部１８Ａ、２０Ａに配置することができる。これにより、仕切板１４の貫通孔３２に挿入板３４を挿入した状態で、仕切板１４は上枠１８と下枠２０の間に配置しながら、挿入板３４は上枠１８の溝部１８Ａと下枠２０の溝部２０Ａに配置して横方向Ｐにスライドさせて配置することができる。
【００４４】
図９に示すように、仕切板１４には単クランプ３６が取り付けられている。単クランプ３６は、吊り足場の水平単管６（図１、図２）を把持するための単クランプである。単クランプ３６によって水平単管６を把持することで、パネル４を吊り足場に固定することができる。
【００４５】
単クランプ３６は、本体部３８と、ボルト部４０と、フランジ部４２と、ナット部４４とを備える。本体部３８は、単管を把持する部分である。ボルト部４０は、本体部３８に螺合して取り付けられた部分である。フランジ部４２は、ボルト部４０の先端で拡径した部分である。ナット部４４は、ボルト部４０に沿って移動可能な状態でボルト部４０の周囲に取り付けられた部材である。このような構成において、フランジ部４２は仕切板１４の溝部３０の内側に配置され、ナット部４４は溝部３０の外側に配置される。フランジ部４２およびナット部４４は、溝部３０の入口部分の横幅よりも大きな径を有する。このため、溝部３０からフランジ部４２が脱落することが防止される。ナット部４４をフランジ部４２に対して近付くように締めることで、単クランプ３６を仕切板１４に固定することができる。
【００４６】
フランジ部４２を仕切板１４の溝部３０の内側に配置する際には、溝部３０の上端又は下端からフランジ部４２を溝部３０の内部へ長手方向Ａに挿入すればよい。
【００４７】
次に、図３に示した接続板１６の構成について、図１０、図１１を用いて説明する。図１０（ａ）は、接続板１６の正面図であり、図１０（ｂ）は、接続板１６の背面図である。図１１は、接続板１６、接続板１６に取り付けられる左枠２２および右枠２４、単クランプ５２を示す平面図である。
【００４８】
図１０に示すように、接続板１６は、正面視で矩形状の板状部材である。接続板１６は、本体部４６と、一対の挿入部４８とを備える。
【００４９】
本体部４６は、中央部に溝部５０を形成する。溝部５０は、単クランプ５２を取り付けるための空間である。溝部５０は、「単クランプ取付溝」と称してもよい。溝部５０は、接続板１６の長手方向Ａに沿って延在する。溝部５０に単クランプ５２を取り付けて固定し、単クランプ５２によって吊り足場に設置された単管を把持する。これにより、接続板１６および単クランプ５２を介してパネル４を吊り足場に固定することができる。
【００５０】
単クランプ５２は、吊り足場の鉛直単管８（図１、図２）を把持するための単クランプである。単クランプ５２は、本体部５４と、ボルト部５６と、フランジ部５８と、ナット部６０とを備える。図１１では、単クランプ５２が接続板１６に取り付けられていない状態を示すが、実際の使用時にはフランジ部５８を溝部５０の内側に配置し、ナット部６０を溝部５０の外側に配置して使用する。単クランプ５２の構成・機能については、図９に示した単クランプ３６と同様であるため、説明を省略する。
【００５１】
挿入部４８は、本体部４６の側方に設けられた柱状部分である。図１１に示すように、挿入部４８は横断面が円形の円柱形状を有する。このような形状に対して、前述した左枠２２の溝部２２Ｃおよび右枠２４の溝部２４Ｃも同様の円柱状の空間を形成している。左枠２２の溝部２２Ｃおよび右枠２４の溝部２４Ｃに対して、挿入部４８を長手方向Ａに挿入可能であり、挿入部４８は長手方向Ａに移動可能な状態で溝部２２Ｃ、２４Ｃの中に配置される。このため、左枠２２および右枠２４に対して接続板１６の上下位置を調整することができる。また、溝部２２Ｃ、２４Ｃの中で長手方向Ａを中心軸として挿入部４８は回転可能であり、接続板１６の回転姿勢も調整することができる。
【００５２】
図３に戻ると、固定部材１７は、上枠１８、下枠２０、左枠２２および右枠２４を相互に固定する部材である。本実施形態では、固定部材１７は合計４ヶ所設けられている。４つの固定部材１７によって、上枠１８と右枠２４が固定され、右枠２４と下枠２０が固定され、下枠２０と左枠２２が固定され、左枠２２と上枠１８が固定される。本実施形態の固定部材１７はＬ字状の形状を有し、枠体１２に対してリベットにより固定される。
【００５３】
上記構成を有するパネル構造体２を吊り足場に設置する方法について、図１２および図１３Ａ〜図１３Ｇを参照しながら説明する。図１２は、本実施形態のパネル構造体２の設置方法を示すフローチャートであり、図１３Ａ〜図１３Ｇは、図１２のフローチャートに沿ってパネル構造体２を組み立てる順序を示す概略正面図である。
【００５４】
図１２に示すように、まず、枠体１２の仮組立を行う（ステップＳ１）。具体的には、図１３Ａに示すように、上枠１８と右枠２４を固定部材１７により固定し、下枠２０と右枠２４を固定部材１７により固定する。上枠１８と下枠２０は互いに平行、かつ右枠２４に対して略直交するように固定する。上枠１８と下枠２０の間隔は、前述した間隔Ｄ３に設定する。
【００５５】
次に、小パネル１０を配置する（ステップＳ２）。具体的には、図１３Ｂに示すように、紙面左側から小パネル１０を横方向Ｐ１にスライドさせて枠体１２の中に配置する。前述したように、上枠１８と下枠２０の内側には溝部１８Ａ、２０Ａを形成しており、溝部１８Ａ、２０Ａの中に小パネル１０の上下端部を配置して横方向Ｐ１にスライドさせることができる。
【００５６】
小パネル１０を枠体１２内に配置した状態を図１３Ｃに示す。図１３Ｃに示すように、小パネル１０は右枠２４に接触する位置まで移動している。図１３Ｃに示す状態では、前述した右枠２４の溝部２４Ａ（図５）の中に小パネル１０の側辺が配置されている。
【００５７】
次に、仕切り板１４および挿入板３４を配置する（ステップＳ３）。具体的には、図１３Ｃに示すように、仕切り板１４に挿入板３４を挿入した状態で横方向Ｐ１にスライドさせる。前述したように、仕切板１４の長さＤ１は間隔Ｄ３よりも短く、挿入板３４の長さＤ２は間隔Ｄ３よりも長く設定されており、かつ、挿入板３４の厚みは上枠１８の溝部１８Ａおよび下枠２０の溝部２０Ａと同じ又は短く設定されている。このため、仕切板１４を上枠１８と下枠２０の間に配置しながら、挿入板３４を上枠１８の溝部１８Ａと下枠２０の溝部２０Ａに配置して横方向Ｐ１にスライドさせることができる。
【００５８】
仕切板１４と挿入板３４を枠体１２内に配置した状態を図１３Ｄに示す。図１３Ｄに示すように、仕切板１４は小パネル１０に接触する位置まで移動している。図１３Ｄに示す状態では、前述した仕切板１４の溝部２８の中に小パネル１０の側辺が配置されている。
【００５９】
図示を省略しているが、仕切板１４には、図９に示した単クランプ３６が予め取り付けて固定されている。
【００６０】
次に、小パネル１０を配置する（ステップＳ４）。具体的には、図１３Ｄに示すように、紙面左側から小パネル１０を横方向Ｐ１にスライドさせて枠体１２の中に配置する。
【００６１】
小パネル１０を枠体１２内に配置した状態を図１３Ｅに示す。図１３Ｅに示すように、小パネル１０は仕切板１４に接触する位置まで移動している。図１３Ｅに示す状態では、前述した仕切板１４の溝部２８の中に小パネル１０の側辺が配置されている。
【００６２】
次に、左枠２２を取り付ける（ステップＳ５）。具体的には、図１３Ｆに示すように、固定部材１７を用いて左枠２２と上枠１８を固定し、もう１つの固定部材１７を用いて左枠２２と下枠２０を固定する。このとき左枠２２には小パネル１０が接触しており、左枠２２の溝部２２Ａの中に小パネル１０の側辺が配置される。
【００６３】
次に、単クランプ３６で水平単管６を把持する（ステップＳ６）。具体的には、仕切板１４に予め取り付けた単クランプ３６を用いて、図２に示すように、吊り足場を構成する水平単管６を把持する。
【００６４】
次に、接続板１６を取り付ける（ステップＳ７）。具体的には、前述した接続板１６の挿入部４８を、左枠２２の溝部２２Ｃおよび右枠２４の溝部２４Ｃに対して長手方向Ａに挿入する。これにより、図１３Ｇに示すように、２つの接続板１６を左枠２２および右枠２４にそれぞれ取り付けることができる。
【００６５】
図１１を用いて説明したように、左枠２２および右枠２４に対して挿入板４８は長手方向Ａを中心軸として回転可能である。このため、左枠２２および右枠２４に対する挿入板４８の回転位置を調整することで、吊り足場の形状に応じてパネル４を適切な姿勢に配置することができる。
【００６６】
図示を省略しているが、接続板１６には、図１１に示した単クランプ５２が予め取り付けて固定されている。
【００６７】
次に、単クランプ５２で鉛直単管８を把持する（ステップＳ８）。具体的には、接続板１６に予め取り付けた単クランプ５２を用いて、図２に示すように、吊り足場を構成する鉛直単管８を把持する。
【００６８】
上述したステップＳ１〜Ｓ８を実行することにより、図１、図２に示すような１枚のパネル４を吊り足場に設置することができる。その後、ステップＳ１〜Ｓ８を繰り返すことにより、複数枚のパネル４を上下左右に並べて配置することができ、パネル構造体２を設置することができる。
【００６９】
なお、パネル４同士を上下に配置する際には、図４に示した上枠１８の凹凸１８Ｃと下枠２０の凹凸２０Ｃを上下に嵌合させればよい。また、パネル４同士を左右に配置する際には、接続板１６に左枠２２あるいは右枠２４を新たに挿入して接続すればよい。
【００７０】
上述したように、実施形態のパネル構造体２は、建設現場の落下防止用かつ防音用のパネルとして使用されるパネル構造体であって、互いに上下に配列される複数枚のパネル４と、パネル４の周縁を囲むように各パネル４に取り付けられる枠体１２とを備える。各枠体１２は、上下に対向する上枠１８および下枠２０と、左右に対向する左枠２２および右枠２４とを備える。上枠１８と下枠２０のそれぞれは、上下に隣接するパネル４の枠体１２に嵌合する凹凸１８Ｃ、２０Ｃを形成する。
【００７１】
このような構成によれば、複数枚のパネル４を上下に並べて配置することができる。これにより、パネル４を組み立てる際の作業性を向上させることができる。
【００７２】
さらに実施形態のパネル構造体２では、各パネル４は、枠体１２内で左右に並べて配置される一対の小パネル１０と、仕切板１４とをさらに有する。仕切板１４は、一対の小パネル１０同士の間で小パネル１０と平行に配置される板状の部材であって、一対の小パネル１０を受ける溝部２８を側辺に形成する。このような構成によれば、パネル４を２つの小パネル１０に分割することで、パネル４が持ちやすくなり、作業性が向上する。また、仕切板１４を入れることでパネル４の強度を向上させることができる。
【００７３】
さらに実施形態のパネル構造体２では、上枠１８と下枠２０のそれぞれの内側には、小パネル１０をスライド可能に受ける溝部１８Ａ、２０Ａが形成されている。仕切板１４は、上枠１８および下枠２０の各溝部１８Ａ、２０Ａよりも大きな厚みを有し、上枠１８と下枠２０の間に配置される。このような構成によれば、小パネル１０を枠体１２に対してスライドさせて配置することができ、作業性が向上する。また、仕切板１４の厚みを大きくすることで強度を向上させることができる。
【００７４】
さらに実施形態のパネル構造体２では、仕切板１４には、長手方向Ａに貫通する貫通孔３２が形成されており、仕切板１４の貫通孔３２に挿入可能、かつ、仕切板１４の長さよりも長い挿入板３４をさらに備える。挿入板３４は、上枠１８および下枠２０の各溝部１８Ａ、２０Ａと同じ又は小さな厚みを有し、上枠１８と下枠２０の各溝部１８Ａ、２０Ａにスライド可能に配置される。このような構成によれば、挿入板３４によってパネル４の強度を向上させることができる。また、挿入板３４を仕切板１４に挿入した状態で、上枠１８と下枠２０の凹部１８Ａ、２０Ａにスライドさせて配置することができる。
【００７５】
さらに実施形態のパネル構造体２では、仕切板１４に取り付けられた単クランプ３６をさらに備える。単クランプ３６は、水平単管６を把持するための単クランプである。このような構成によれば、パネル４を建設現場の水平単管６に取り付けることができる。
【００７６】
さらに実施形態のパネル構造体２では、左枠２２と右枠２４のそれぞれの内側には、小パネル１０の側辺を受ける溝部２２Ａ、２４Ａが形成されている。このような構成によれば、パネル４を枠体１２内に精度良く位置決めすることができる。
【００７７】
さらに実施形態のパネル構造体２では、複数枚のパネル４は互いに横方向Ｐに並べて配置され、横方向Ｐに隣接するパネル４同士の左枠２２と右枠２４を互いに接続するための接続板１６をさらに備える。各パネル４の左枠２２と右枠２４のそれぞれの外側には、接続板１６の側辺を長手方向Ａに挿入可能な凹部２２Ｃ、２４Ｃが形成されている。このような構成によれば、パネル４を上下だけでなく左右にも並べて配置することができる。
【００７８】
さらに実施形態のパネル構造体２では、左枠２２と右枠２４に形成された外側の凹部２２Ｃ、２４Ｃは、横断面が円形である円柱空間を有する。各接続板１６の側辺は、横断面が円形で左枠２２と右枠２４のそれぞれの凹部２２Ｃ、２４Ｃの円柱空間に挿入可能な一対の挿入部４８を備える。このような構成によれば、左枠２２と右枠２４に対して接続板１６の挿入部４８を回転させることで接続板１６の回転位置を調整することができ、柔軟な設計が可能となる。
【００７９】
さらに実施形態のパネル構造体２では、接続板１６に取り付けられた単クランプ５２をさらに備え、単クランプ５２は、建設現場の鉛直単管８を把持するための単クランプである。このような構成によれば、パネル構造体２を建設現場の鉛直単管８に取り付けることができる。
【００８０】
以上、上述の実施形態を挙げて本発明を説明したが、本発明は上述の実施形態に限定されない。例えば、実施形態では、パネル４を上下だけでなく左右にも並べて配列する場合について説明したが、このような場合に限らない。複数のパネル４を上下にのみ並べて配置してもよい。
【００８１】
また実施形態では、パネル構造体２が吊り足場の落下防止用かつ防音用のパネルとして使用される場合について説明したが、このような場合に限らない。建設現場の落下防止用又は防音用のパネルとして使用されるパネル構造体であればよい。
【産業上の利用可能性】
【００８２】
本開示は、建設現場の落下防止用又は防音用のパネルとして使用されるパネル構造体であれば適用可能である。
【符号の説明】
【００８３】
２  パネル構造体
４  パネル
６  水平単管
８  鉛直単管
１０  小パネル
１２  枠体
１４  仕切板
１６  接続板
１７  固定部材
１８  上枠
１８Ａ、１８Ｂ  溝部
１８Ｃ  凹凸
２０  下枠
２０Ａ、２０Ｂ  溝部
２０Ｃ  凹凸
２２  左枠
２２Ａ、２２Ｂ、２２Ｃ  溝部
２４  右枠
２４Ａ、２４Ｂ、２４Ｃ  溝部
２８、３０  溝部
３２  貫通孔
３４  挿入板
３６  単クランプ
３８  本体部
４０  ボルト部
４２  フランジ部
４４  ナット部
４６  本体部
４８  挿入部
５０  溝部
５２  単クランプ
５４  本体部
５６  ボルト部
５８  フランジ部
６０  ナット部
Ａ  長手方向
Ｐ、Ｐ１  横方向
Ｘ  前後方向
Ｄ１、Ｄ２  長さ
Ｄ３  間隔
Ｄ４  厚み
【図１】
2020125659.tif 000003
【図２】
2020125659.tif 000004
【図３】
2020125659.tif 000005
【図４】
2020125659.tif 000006
【図５】
2020125659.tif 000007
【図６】
2020125659.tif 000008
【図７】
2020125659.tif 000009
【図８】
2020125659.tif 000010
【図９】
2020125659.tif 000011
【図１０】
2020125659.tif 000012
【図１１】
2020125659.tif 000013
【図１２】
2020125659.tif 000014
【図１３Ａ】
2020125659.tif 000015
【図１３Ｂ】
2020125659.tif 000016
【図１３Ｃ】
2020125659.tif 000017
【図１３Ｄ】
2020125659.tif 000018
【図１３Ｅ】
2020125659.tif 000019
【図１３Ｆ】
2020125659.tif 000020
【図１３Ｇ】
2020125659.tif 000021
【手続補正書】
【提出日】令和1年11月7日(2019.11.7)
【手続補正１】
【補正対象書類名】特許請求の範囲
【補正対象項目名】全文
【補正方法】変更
【補正の内容】
【特許請求の範囲】
【請求項１】
建設現場の落下防止用又は防音用のパネルとして使用されるパネル構造体であって、
互いに上下に配列される複数枚のパネルと、
パネルの周縁を囲むように各パネルに取り付けられる枠体と、を備え、
各枠体は、上下に対向する上枠および下枠と、左右に対向する左枠および右枠とを備え、
上枠と下枠のそれぞれは、上下に隣接するパネルの枠体に嵌合する凹凸を形成する、パネル構造体。
【請求項２】
各パネルは、枠体内で左右に並べて配置される一対の小パネルと、一対の小パネル同士の間で小パネルと平行に配置される板状の部材であって、一対の小パネルを受ける溝部を側辺に形成する仕切板とを有する、請求項１に記載のパネル構造体。
【請求項３】
建設現場の落下防止用又は防音用のパネルとして使用されるパネル構造体であって、
互いに上下に配列される複数枚のパネルと、
パネルの周縁を囲むように各パネルに取り付けられる枠体と、を備え、
各枠体は、上下に対向する上枠および下枠と、左右に対向する左枠および右枠とを備え、
上枠と下枠のそれぞれは、上下に隣接するパネルの枠体に嵌合する凹凸を形成し、
各パネルは、枠体内で左右に並べて配置される一対の小パネルと、一対の小パネル同士の間で小パネルと平行に配置される板状の部材であって、一対の小パネルを受ける溝部を側辺に形成する仕切板とを有し、
上枠と下枠のそれぞれの内側には、小パネルをスライド可能に受ける溝部が形成されており、
仕切板は、上枠および下枠の各溝部よりも大きな厚みを有し、上枠と下枠の間に配置される、パネル構造体。
【請求項４】
仕切板には、長手方向に貫通する貫通孔が形成されており、
仕切板の貫通孔に挿入可能、かつ、仕切板の長さよりも長い挿入板をさらに備え、
挿入板は、上枠および下枠の各溝部と同じ又は小さな厚みを有し、上枠と下枠の各溝部にスライド可能に配置される、請求項３に記載のパネル構造体。
【請求項５】
仕切板に取り付けられた単クランプをさらに備え、
当該単クランプは、水平単管を把持するための単クランプである、請求項２から４のいずれか１つに記載のパネル構造体。
【請求項６】
建設現場の落下防止用又は防音用のパネルとして使用されるパネル構造体であって、
互いに上下に配列される複数枚のパネルと、
パネルの周縁を囲むように各パネルに取り付けられる枠体と、を備え、
各枠体は、上下に対向する上枠および下枠と、左右に対向する左枠および右枠とを備え、
上枠と下枠のそれぞれは、上下に隣接するパネルの枠体に嵌合する凹凸を形成し、
複数枚のパネルは互いに横方向に並べて配置され、
横方向に隣接するパネル同士の左枠と右枠を互いに接続するための接続板をさらに備え、
各パネルの左枠と右枠のそれぞれの外側には、接続板の側辺を長手方向に挿入可能な凹部が形成されており、
左枠と右枠に形成された外側の凹部は、横断面が円形である円柱空間を有し、
各接続板の側辺は、横断面が円形で左枠と右枠のそれぞれの凹部の円柱空間に挿入可能な一対の挿入部を備え、各接続板はさらに、一対の挿入部を左右方向に間隔を空けた状態で支持する本体部を備え、
一対の挿入部に挿入されるパネルの左枠および右枠は、接続板の本体部と左右方向に重ならないように間隔を空けて配置される、パネル構造体。
【請求項７】
接続板に取り付けられた単クランプをさらに備え、
当該単クランプは、鉛直単管を把持するための単クランプである、請求項６に記載のパネル構造体。
【請求項８】
左枠と右枠のそれぞれの内側には、小パネルの側辺を受ける溝部が形成されている、請求項１から７のいずれか１つに記載のパネル構造体。
【手続補正書】
【提出日】令和2年3月18日(2020.3.18)
【手続補正１】
【補正対象書類名】特許請求の範囲
【補正対象項目名】全文
【補正方法】変更
【補正の内容】
【特許請求の範囲】
【請求項１】
建設現場の落下防止用又は防音用のパネルとして使用されるパネル構造体であって、
互いに上下に配列される複数枚のパネルと、
パネルの周縁を囲むように各パネルに取り付けられる枠体と、を備え、
各枠体は、上下に対向する上枠および下枠と、左右に対向する左枠および右枠とを備え、
上枠と下枠のそれぞれは、上下に隣接するパネルの枠体に嵌合する凹凸を形成し、
各パネルは、枠体内で左右に並べて配置される一対の小パネルと、一対の小パネル同士の間で小パネルと平行に配置される板状の部材であって、一対の小パネルを受ける溝部を側辺に形成する仕切板とを有し、
上枠と下枠のそれぞれの内側には、小パネルをスライド可能に受ける溝部が形成されており、
仕切板は、上枠および下枠の各溝部よりも大きな厚みを有し、上枠と下枠の間に配置される、パネル構造体。
【請求項２】
仕切板には、長手方向に貫通する貫通孔が形成されており、
仕切板の貫通孔に挿入可能、かつ、仕切板の長さよりも長い挿入板をさらに備え、
挿入板は、上枠および下枠の各溝部と同じ又は小さな厚みを有し、上枠と下枠の各溝部にスライド可能に配置される、請求項１に記載のパネル構造体。
【請求項３】
仕切板に取り付けられた単クランプをさらに備え、
当該単クランプは、水平単管を把持するための単クランプである、請求項１又は２に記載のパネル構造体。
【請求項４】
建設現場の落下防止用又は防音用のパネルとして使用されるパネル構造体であって、
互いに上下に配列される複数枚のパネルと、
パネルの周縁を囲むように各パネルに取り付けられる枠体と、を備え、
各枠体は、上下に対向する上枠および下枠と、左右に対向する左枠および右枠とを備え、
上枠と下枠のそれぞれは、上下に隣接するパネルの枠体に嵌合する凹凸を形成し、
複数枚のパネルは互いに横方向に並べて配置され、
横方向に隣接するパネル同士の左枠と右枠を互いに接続するための接続板をさらに備え、
各パネルの左枠と右枠のそれぞれの外側には、接続板の側辺を長手方向に挿入可能な凹部が形成されており、
左枠と右枠に形成された外側の凹部は、横断面が円形である円柱空間を有し、
各接続板の側辺は、横断面が円形で左枠と右枠のそれぞれの凹部の円柱空間に挿入可能な一対の挿入部を備え、各接続板はさらに、一対の挿入部を左右方向に間隔を空けた状態で支持する本体部を備え、
一対の挿入部に挿入されるパネルの左枠および右枠は、接続板の本体部と左右方向に重ならないように間隔を空けて配置され、
接続板に取り付けられた単クランプをさらに備え、
当該単クランプは、鉛直単管を把持するための単クランプである、パネル構造体。
【請求項５】
左枠と右枠のそれぞれの内側には、小パネルの側辺を受ける溝部が形成されている、請求項１から３のいずれか１つに記載のパネル構造体。